(57)【要約】【課題】  電子ペーパーのデータを印刷する場合、ユーザは画像処理装置に対する印刷設定および、その設定の変更や修正が最低限で済み、電子ペーパーのデータを効率よく印刷させることである。【解決手段】  入力されるデータを設定される表示形式で表示する電子ペーパーを画像処理装置に接続する。そして、接続された電子ペーパーよりデータと表示形式とを取得する。そして、制御手段が取得された前記表示形式を前記データを印刷する印刷部の初期設定に反映させる構成を特徴とする。【選択図】  図１
2007144674.tif 000002
【特許請求の範囲】
【請求項１】
入力されるデータを設定される表示形式で表示する電子ペーパーと通信可能な画像処理装置であって、
前記電子ペーパーよりデータと表示形式とを取得する取得手段と、
前記取得手段により取得された前記表示形式を前記データを印刷する印刷部の初期設定に反映させる制御手段と、
を有することを特徴とする画像処理装置。
【請求項２】
入力されるデータを設定される表示形式で表示する電子ペーパーと通信可能な画像処理装置であって、
前記電子ペーパーよりデータと表示形式とを取得する取得手段と、
印刷部に設定に反映可能な複数の設定属性の優先順位を設定する設定手段と、
前記設定手段により設定された優先順位に基づいて、前記取得手段により取得された前記データを印刷する印刷部の初期設定に反映させる制御手段と、
を有することを特徴とする画像処理装置。
【請求項３】
前記複数の設定属性は、前記取得手段により取得された前記表示形式による設定、前記取得手段により取得された前記データによる設定、操作部による印刷設定のいずれかであることを特徴とする請求項２記載の画像処理装置。
【請求項４】
前記表示形式は、複数のページを１頁内に配置表示するＮｉｎ１、表示する用紙の原稿サイズ、表示する用紙の向き、表示するデータの倍率、表示するデータの濃度、表示するデータの解像度、表示するデータの表示色モード、表示する用紙の面を含むことを特徴とする請求項１または２記載の画像処理装置。
【請求項５】
前記取得手段は、前記電子ペーパーの接続タイミングで、前記表示形式を取得することを特徴とする請求項１乃至４の何れかに記載の画像処理装置。
【請求項６】
前記制御手段により取得された表示形式で初期設定された印刷設定の可否を判定する判定手段を有することを特徴とする請求項１乃至５の何れかに記載の画像処理装置。
【請求項７】
入力されるデータを設定される表示形式で表示する電子ペーパーと通信可能な画像処理装置における出力制御方法であって、
前記電子ペーパーよりデータと表示形式とを取得する取得ステップと、
前記取得ステップにより取得された前記表示形式を前記データを印刷する印刷部の初期設定に反映させる制御ステップと、
を有することを特徴とする出力制御方法。
【請求項８】
入力されるデータを設定される表示形式で表示する電子ペーパーと通信可能な画像処理装置における出力制御方法であって、
前記電子ペーパーよりデータと表示形式とを取得する取得ステップと、
印刷部に設定に反映可能な複数の設定属性の優先順位を設定する設定ステップと、
前記設定ステップにより設定された優先順位に基づいて、前記取得ステップにより取得された前記データを印刷する印刷部の初期設定に反映させる制御ステップと、
を有することを特徴とする出力制御方法。
【請求項９】
前記複数の設定属性は、前記取得ステップにより取得された前記表示形式による設定、前記取得手段により取得された前記データによる設定、操作部による印刷設定のいずれかであることを特徴とする請求項８記載の出力制御方法。
【請求項１０】
前記表示形式は、複数のページを１頁内に配置表示するＮｉｎ１、表示する用紙の原稿サイズ、表示する用紙の向き、表示するデータの倍率、表示するデータの濃度、表示するデータの解像度、表示するデータの表示色モード、表示する用紙の面を含むことを特徴とする請求項７または８記載の出力制御方法。
【請求項１１】
前記取得ステップは、前記電子ペーパーの接続タイミングで、前記表示形式を取得することを特徴とする請求項７乃至１０の何れかに記載の出力制御方法。
【請求項１２】
前記制御ステップにより取得された表示形式で初期設定された印刷設定の可否を判定する判定ステップを有することを特徴とする請求項６乃至１１の何れかに記載の出力制御方法。
【請求項１３】
請求項７〜１２のいずれかに記載の出力制御方法をコンピュータに実行させるためのプログラムを格納したことを特徴とするコンピュータが読み取り可能な記憶媒体。
【請求項１４】
請求項７〜１２のいずれかに記載の出力制御方法をコンピュータに実行させることを特徴とするプログラム。
【発明の詳細な説明】
【技術分野】
【０００１】
本発明は、入力されるデータを設定される表示形式で表示する電子ペーパーと通信可能な画像処理装置の出力制御に関するものである。
【背景技術】
【０００２】
情報化社会の発展に伴い、CRTや液晶等の表示媒体の性能も急速に向上してきている。しかし、これらの表示媒体は、読み易さ、扱いやすさの点では古くからの情報媒体として利用されている紙に勝るものはない。
【０００３】
そのため、紙のように扱うことが可能なフレキシブルな表示媒体として近年電子ペーパーという新しい表示媒体が提案されるようになってきた。
【０００４】
上記電子ペーパーに仕様される表示媒体としては、揮発性あるいは不揮発性の液晶が使用され、揮発性表示媒体は電子ペーパーの電源OFF時に表示データが消える。
【０００５】
一方、不揮発性表示媒体は電子ペーパーの電源がOFFされても表示されている画像はそのまま保持されるという利点がある。この不揮発性電子ペーパーを用いることにより１枚の紙のように扱かうことが可能となる。
【０００６】
なお、ユーザからの印刷設定および印刷指示を表す情報受付、１部を印刷する
際の各種パラメータの設定値を複数記憶し、上記複数の印刷設定に従った画像をプレビュー画面に表示する技術が特許文献１に記載されている。
【特許文献１】特開２００４−７０６６１号公報
【発明の開示】
【発明が解決しようとする課題】
【０００７】
しかしながら、電子ペーパーで表示している画像をデジタル複合機のような画像処理装置にて印刷する場合、表示画像の画面イメージそのままに印刷したいという場合がある。このような場合でも、従来のプリンタドライバにて設定しているようにプリント設定である部数、出力紙サイズ、Nin1、両面設定といった各種プリント設定を入力する必要があり不便であった。
【０００８】
本発明は、上記の課題を解決するためになされたもので、本発明の目的は、電子ペーパーのデータを印刷する場合、ユーザは画像処理装置に対する印刷設定および、その設定の変更や修正負担を軽減できる仕組みを提供することである。
【課題を解決するための手段】
【０００９】
上記目的を達成する本発明の画像処理装置は以下に示す構成を備える。
【００１０】
入力されるデータを設定される表示形式で表示する電子ペーパーと通信可能な画像処理装置であって、
前記電子ペーパーよりデータと表示形式とを取得する取得手段と、
前記取得手段により取得された前記表示形式を前記データを印刷する印刷部の初期設定に反映させる制御手段と、
を有することを特徴とする。
【００１１】
また、入力されるデータを設定される表示形式で表示する電子ペーパーと通信可能な画像処理装置であって、
前記電子ペーパーよりデータと表示形式とを取得する取得手段と、
印刷部に設定に反映可能な複数の設定属性の優先順位を設定する設定手段と、
前記設定手段により設定された優先順位に基づいて、前記取得手段により取得された前記データを印刷する印刷部の初期設定に反映させる制御手段とを有することを特徴とする。
【００１２】
上記目的を達成する本発明の出力制御方法は以下に示す構成を備える。
【００１３】
入力されるデータを設定される表示形式で表示する電子ペーパーと通信可能な画像処理装置における出力制御方法であって、
前記電子ペーパーよりデータと表示形式とを取得する取得ステップと、
前記取得ステップにより取得された前記表示形式を前記データを印刷する印刷部の初期設定に反映させる制御ステップとを有することを特徴とする。
【００１４】
また、入力されるデータを設定される表示形式で表示する電子ペーパーと通信可能な画像処理装置における出力制御方法であって、
前記電子ペーパーよりデータと表示形式とを取得する取得ステップと、
印刷部に設定に反映可能な複数の設定属性の優先順位を設定する設定ステップと、
前記設定ステップにより設定された優先順位に基づいて、前記取得ステップにより取得された前記データを印刷する印刷部の初期設定に反映させる制御ステップとを有することを特徴とする。
【発明の効果】
【００１５】
本発明によれば、電子ペーパーのデータを印刷する場合、ユーザは画像処理装置に対する印刷設定および、その設定の変更や修正が最低限で済み、電子ペーパーのデータを効率よく印刷させることができる。
【発明を実施するための最良の形態】
【００１６】
次に本発明を実施するための最良の形態について図面を参照して説明する。
【００１７】
＜システム構成の説明＞
〔第１実施形態〕
以下、図面を参照して本発明の実施の形態を説明する。
【００１８】
図１は、本発明の第１実施形態を示す画像処理装置に適用可能なデジタル複合機と電子ペーパーとの構成を示す構成図である。なお、電子ペーパー１０１とデジタル複合機１０２とは所定のインタフェースで接続されている場合を示す。
【００１９】
また、所定のインタフェースは、有線や無線といった各種の通信Ｉ／Ｆが利用可能である。
【００２０】
図１において、電子ペーパー１０１は、両面表示機能や２ｉｎ１表示機能、表示濃度設定といったさまざまな表示形式にて表示可能な電子ペーパーである。
【００２１】
次に、デジタル複合機１０２は前記電子ペーパー１０１に接続可能な複合機であり、電子ペーパー１０１と接続し、電子ペーパー１０１に表示している画像の表示形式にて印刷可能である。
【００２２】
電子ペーパー１０１は、図示しない外部機器との通信Ｉ／Ｆを介して、図示しないデータ処理装置や、携帯端末装置等と通信可能であり、表示させるデータと、該データに対する表示条件等を記憶する内部メモリを備えている。
【００２３】
なお、印刷条件は、図示しないＵＩ画面を表示して直接電子ペーパー１０１から指定する場合と、通信可能なホスト側から指定する場合と、あらかじめ登録されているものからユーザが選択する場合とがある。
【００２４】
また、電子ペーパー１０１は、帯電ビーズを使用するものと、青色の液体と白色の帯電粒子（例えば酸化チタン粒子）をマイクロカプセルにいれ、電極に印加する極性を制御することで表示を行う電衛泳動によるものとがある。本発明の適用において、表示方式の差違は適用を妨げない。
【００２５】
図２は、図１に示した画像処理装置の構成を説明するブロック図である。本例は、図１に示したデジタル複合機１０２の構成例である。
【００２６】
図２において、スキャナ装置２０１は、操作部表示装置２０３等より指定されたモード（例えば、紙サイズ、解像度、濃度等）で原稿を読み取り、プリンタ装置２０２は、プリントする文書をフィニッシャ等の排紙装置を介し、排紙トレーに出力する。
【００２７】
操作部表示装置２０３は、ユーザが各種設定操作を行うと共に、装置が動作状態などを表示するものである。
【００２８】
符号化複合化装置２０４は、送信する画情報をデータに符号化し、データ圧縮する一方、受信した圧縮データを複合化し、元の画情報に復元するものである。
【００２９】
システムメモリ２０５は、ＲＡＭ部およびＲＯＭ部からなり、装置に予め登録しておく情報を格納するものである。
【００３０】
ページメモリ２０６は、符号化・複合化を行う際に１ページ分の画情報を展開するものである。
【００３１】
システム制御部２０７は、本ブロック図内の各制御部や装置やＨＤ（ハードディスク）等を監視・制御するマイクロコンピュータである。外部接続端子２０８は、電子ペーパーを接続可能な端子であり、電子ペーパーに表示されている画像を印刷する際に電子ペーパーを本外部接続端子に接続する。ネットワークＩ／Ｆ２０９は、ＬＡＮ等ＮＥＴＷＯＲＫ網に接続されており他のＮＥＴＷＯＲＫ機器を通信するものである。ＨＤ（ハードディスク）２１０は、不揮発性のメモリからなり、受信した文書やスキャンした文書等を格納するものである。
【００３２】
図３は、図１に示した画像処理装置で記憶されるプリント初期値優先順位設定情報の一例を示す図である。なお、本プリント初期値優先順位設定情報は、ハードディスク２１０や、図示しない不揮発性メモリ(NVRAM)等に記憶されて、電源投入時の初期化処理時に、該プリント初期値優先順位設定情報が参照される。また、プリント初期値優先順位設定情報は、ユーザにて設定可能な情報である。
【００３３】
図３において、初期値優先順位とは、プリント時の各種印刷設定の初期値を何の情報を優先にするかを指示するものである。つまり、ユーザが文書プリント設定優先３０１選択時、電子ペーパー１０１に表示している文書自身がもっているプリント設定をデジタル複合機１０２にて印刷する場合のプリント設定の初期値として反映することを意味している。
【００３４】
また、ユーザが電子ペーパー表示設定優先３０２選択時、電子ペーパーに表示している表示設定に従って、デジタル複合機１０２にて印刷する場合のプリント設定の初期値として反映することを意味している。なお、これらの情報には、その設定が有効とするか否かを決定するためのフラグを記憶可能としている。
【００３５】
この表示設定をデジタル複合機１０２のプリント設定の初期値に反映することによって、ユーザは電子ペーパーで表示しているイメージそのままの画像をデジタル複合機のプリント設定を変更することなく印刷することが可能となる。
【００３６】
例えば、2in1、両面にて電子ペーパーに表示している場合には、デジタル複合機１０２にて印刷した場合、プリント設定を変更、再設定することなく2in1、両面の印刷が行われる。
【００３７】
最後に、ユーザが実機プリンタ設定優先３０３選択時、電子ペーパー側のプリント設定ではなく、デジタル複合機１０２側のプリント設定がプリント設定の初期値として反映することを意味している。
【００３８】
このように構成された画像処理装置において、本実施形態では、以下の特徴的構成を備える。
【００３９】
デジタル複合機１０２は、入力されるデータを設定される表示形式で表示する電子ペーパー１０１と通信可能に構成されている。そして、電子ペーパー１０１よりデータと表示形式とを取得する取得機能を有する。具体的には、電子ペーパー１０１が外部接続端子２０８に所定の通信インタフェースを介して接続されたタイミングで、電子ペーパー１０１よりデータと表示形式とを取得する。
【００４０】
そして、システム制御部２０７は、取得された前記表示形式を前記データを印刷する印刷部の初期設定に反映させる制御を、図５に示す制御手順に基づいて行う。
【００４１】
なお、システム制御部２０７がプリンタ装置２０２に設定に反映可能な複数の設定属性の優先順位を操作部表示装置２０３に表示されるＵＩ画面（図示しない）を介して設定する設定機能を備える。そして、設定された優先順位は、図２に示したＨＤ２１０等に図3に示すデータ形式で記憶されている。
【００４２】
また、設定機能により設定された優先順位に基づいて、システム制御部２０７は、取得された前記表示形式を前記データを印刷する印刷部の初期設定に反映させる制御を、図５に示す制御手順に基づいて行う。
【００４３】
なお、記複数の設定属性は、取得された前記表示形式による設定（図３に示す電子ペーパー表示設定、取得されたデータによる文書プリント設定、操作部表示装置２０３による印刷設定のいずれかである。
【００４４】
また、表示形式は、複数のページを１頁内に配置表示するＮｉｎ１、表示する用紙の原稿サイズ、表示する用紙の向き、表示するデータの倍率、表示するデータの濃度、表示するデータの解像度、表示するデータの表示色モード、表示する用紙の面を含む。
【００４５】
システム制御部２０７は、電子ペーパー１０１から取得された表示形式で初期設定された印刷設定の可否を判定する判定機能を有する。
【００４６】
これにより、電子ペーパー１０１から取得されたデータを、表示型式以外のユーザが好む方法で印刷させることも可能となる。
【００４７】
図４は、本発明に係る電子ペーパーにおけるデータ処理手順の一例を示すフローチャートである。本処理は、電子ペーパー１０１に表示している画像をデジタル複合機に接続し、印刷開始指示を送信するまでの電子ペーパー１０１側の制御手順に対応する。なお、S４０１〜S４０７は各ステップを示す。また、各ステップは、電子ペーパー１０１内のコントローラが内部メモリからロードした制御プログラムを実行することで実現される。
【００４８】
ステップＳ４０１において、様々な表示設定に変更可能な電子ペーパー１０１のコントローラが表示設定の変更を行うか否かを判定する。そして、ユーザが表示設定の変更を行うと判断した場合は、ステップＳ４０２に移行し、また表示設定の変更を行わないと判断した場合は、ステップＳ４０４に移行する。
【００４９】
次に、ステップＳ４０２において、表示原稿サイズとしてＡ３、Ｂ４、Ａ４、Ｂ５等の記録紙と同様の表示サイズを設定する。また、４ｉｎ１、２ｉｎ１といったＮｉｎ１（レイアウト）を設定する。
【００５０】
またＡ４−ＲやＡ４−Ｈといった表示している画像の縦長・横長を設定する。さらに、８０％、１２０％といった表示倍率の変更を設定する。さらに、両面表示設定、表示濃度設定、表示解像度設定、フルカラーやモノクロや２色指定といった表示色モードの設定を行う。なお、表示すべきデータは、図示しないインタフェースを介して受信されているものとする。
【００５１】
そして、ステップＳ４０３で、ステップＳ４０２で設定変更した表示設定に従って電子ペーパー１０１に画像データを表示する。
【００５２】
次に、ステップＳ４０４で、様々な表示設定にて表示可能な電子ペーパー１０１に表示している画像を印刷する要求が指示されているかどうかをコントローラが判断する。そして、印刷要求指示がなされていると判断した場合は、ステップＳ４０５に移行し、また印刷する要求の指示がなされていないと判断した場合は、ステップＳ４０１に戻り、電子ペーパー１０１に対する操作を継続する。
【００５３】
そして、ステップＳ４０５において、ユーザは、電子ペーパー１０１に表示している画像を印刷するために、所定の通信インタフェースを介してデジタル複合機１０２に接続する。
【００５４】
次に、ステップＳ４０６において、電子ペーパー１０１はデジタル複合機１０２との接続を監視し、デジタル複合機１０２との接続が行われたことをコントローラが認識したならば、ステップＳ４０７に移行する。
【００５５】
そして、ステップＳ４０７において、電子ペーパー１０１はデジタル複合機１０２に対して、電子ペーパー１０１に表示している画像データとともに、ステップＳ４０２にて設定した表示設定データを送信して、処理を終了する。
【００５６】
図５は、本発明に係る画像処理装置におけるデータ処理手順の一例を示すフローチャートである。本処理は、システム制御部２０７による電子ペーパー１０１からの印刷指示の受信から電子ペーパー表示画像を印刷するまでのデジタル複合機１０２側の制御手順に対応する。なお、S５０１〜S５０９は各ステップを示す。また、各ステップは、電子ペーパー１０１内のコントローラが内部メモリからロードした制御プログラムを実行することで実現される。
【００５７】
ステップＳ５０１において、デジタル複合機１０２のシステム制御部２０７は、は、外部接続端子２０８に接続可能な電子ペーパー１０１との接続および接続後電子ペーパー１０１からの印刷指示を待つ。そして、印刷指示があったならばステップＳ５０２に移行する。
【００５８】
次に、ステップＳ５０２において、システム制御部２０７は、電子ペーパー１０１より送られてきた画像データおよび表示設定データ（図４に示したステップＳ４０２で設定された情報）をシステムメモリ２０５内のＲＡＭおよびＨＤ２１０に保存する。
【００５９】
次に、ステップＳ５０３において、システム制御部２０７はデジタル複合機１０２内のシステムメモリ２０５内のユーザデータ部のプリント初期値優先順位設定（図３に示したプリント初期値有線順位設定情報）を参照する。そして、システム制御部２０７が文書プリント設定優先３０１か、電子ペーパー表示設定優先３０２か、実機プリンタ設定優先３０３かのいずれかの設定情報を取得する。
【００６０】
そして、図３に示したプリント初期値優先順位設定が文書プリント設定優先３０１であると判断した場合には、ステップＳ５０４に移行する。
【００６１】
一方、電子ペーパー表示設定優先３０２であると判断した場合にはステップＳ５０５に移行する。
【００６２】
また、実機プリンタ設定優先３０３であると判断した場合には、ステップＳ５０６にそれぞれ移行する。
【００６３】
なお、図３に示したプリント初期値有線順位設定情報３００には、図示しないフラグ情報が設定されており、３０１〜３０３のいずれかが有効であるかを示す状態でシステムメモリ２０５内に記憶されている。また、そのフラグ状態は、操作部表示装置２０３からの指示で自在に変更可能に構成されている。
【００６４】
そして、ステップＳ５０４に移行した場合は、文書データがもともと持っている文書のプリント設定をシステムメモリ２０５内のプリント設定の初期値として設定し、ステップＳ５０７に移行する。つまり、ユーザモードの設定が文書自身のプリント設定を優先する設定であるために、ＨＤ２１０内に格納されている文書データがもともと持っている文書のプリント設定をシステムメモリ２０５内のプリント設定の初期値として設定する。
【００６５】
また、ステップＳ５０５に移行した場合は、ユーザモードの設定が印刷機であるデジタル複合機１０２のプリント設定を優先する設定であるために、システムメモリ２０５内に設定されているプリント設定を初期値として設定し、ステップＳ５０７に移行する。
【００６６】
また、ステップＳ５０６に移行した場合は、システムメモリ２０５内のＲＡＭ部に保存されている表示設定データをプリント設定の初期値として設定し、ステップＳ５０７に移行する。つまり、ユーザモードの設定が電子ペーパー１０１に表示されている表示設定を優先する設定であるために、システムメモリ２０５内のＲＡＭ部に保存されている表示設定データをプリント設定の初期値として設定する。
【００６７】
なお、システムメモリ２０５内のＲＡＭ部に保存されているデータとしてはＡ３、Ｂ４、Ａ４、Ｂ５等の表示原稿サイズ、４ｉｎ１、２ｉｎ１といったＮｉｎ１印刷設定、Ａ４−ＲやＡ４−Ｈといった表示している画像の縦長・横長設定が含まれる。また、システムメモリ２０５内のＲＡＭ部に保存されているデータとして８０％、１２０％といった表示倍率の変更設定、両面表示設定、表示濃度設定、表示解像度設定、フルカラーやモノクロや２色指定といった表示色モード設定等である。上記データは印刷原稿サイズ、Ｎｉｎ１印刷設定、縦長・横長設定、印刷倍率設定、両面設定、印刷濃度設定、印刷解像度設定、印字色モード設定のプリント設定の初期値にそれぞれ反映される。なお、本実施形態において、電子ペーパーにおける「両面設定」とは、電子ペーパーが両面表示可能に構成されている場合に、電子ペーパー上で両面に表示している情報を印刷する際に、印刷設定に両面設定ONを初期値として設定される情報である。
【００６８】
次に、ステップＳ５０７において、システム制御部２０７の制御でプリント設定の初期値を反映したプリント確認画面を操作部表示装置２０３にて制御する操作部画面に表示する。
【００６９】
なお、本実施形態では操作部画面に表示しているが、デジタル複合機１０２に接続されている電子ペーパー１０１上に表示してもよい。また、操作部画面と、デジタル複合機１０２に接続されている電子ペーパー１０１上との双方に表示してもよい。なお、表示されている印刷条件は、従来からのプリント印刷設定からの変更操作により変更可能である。
【００７０】
次に、ステップＳ５０８において、ユーザはプリント確認画面にて印刷設定を確認後、印刷を行う要求が指示されているかどうかを判断する。
【００７１】
そして、印刷要求が指示されていないと判断した場合は、本処理を終了する。
【００７２】
また、ステップＳ５０８で、印刷要求が指示されていると判断した場合は、ステップＳ５０９に進む。そして、システム制御部２０７は現在操作部表示装置２０３に表示されている印刷設定にてＨＤ２１０に保存されている画像データをプリンタ装置より印刷を開始して、本処理を終了する。
【００７３】
なお、ＨＤ２１０に保存されている画像データは、電子ペーパー１０１から受信した画像データである。
【００７４】
上記実施形態によれば、電子ペーパー１０１のデータを印刷する場合、ユーザはデジタル複合機１０２に対する印刷設定および、その設定の変更や修正が最低限で済む。これにより、電子ペーパー１０１に表示されている画像データの印刷設定から変更までの操作負担を軽減して、効率よく表示データを印刷させることができる。
【００７５】
つまり、電子ペーパー１０１に表示されている見たままを、デジタル複合機１０２に対する印刷設定のデフォルト（初期値）とすることによって、ユーザは印刷する際、表示設定以外のみを設定変更するだけでよくなる。表示設定以外の例としては、デジタル複合機１０２特有の設定項目となる。例えば出力用紙サイズ、ステイプル等のフィニッシャ設定、スタンプ機能の付加設定等が好例である。
【００７６】
〔第２実施形態〕
上記実施形態では、ＨＤ２１０に保存されている画像データは、電子ペーパー１０１から受信した画像データを印刷する場合について説明した。
【００７７】
しかしながら、ハードディスク２１０に登録されている、ロゴ、その他のユーザデータ、あるいはフォームデータとの合成処理を行ったものを印刷するように制御してもよい。
【００７８】
さらに、ＨＤ２１０に保存されている画像データは、電子ペーパー１０１から受信した画像データに所定の画像処理を施して印刷するように制御してもよい。
【００７９】
〔第３実施形態〕
上記実施形態では、ＨＤ２１０に保存されている画像データは、電子ペーパー１０１から受信した画像データを印刷する場合について説明した。
【００８０】
しかしながら、当該画像データを印刷した後、操作部表示装置２０３に対して、ユーザに電子ペーパー１０１に表示されている画像データを消去するかどうかを問い合わせる。そして、ユーザの指示が、消去指示であれば、電子ペーパー１０１に表示されている画像データを消去する指示を行う。
【００８１】
これにより、ユーザによる電子ペーパー１０１単体による、印刷済み画像データの消去処理を軽減できる。
【００８２】
〔第４実施形態〕
上記実施形態では、ＨＤ２１０に保存されている画像データは、電子ペーパー１０１から受信した画像データを印刷する場合について説明した。
【００８３】
これに対して、電子ペーパー１０１に表示している画像データの属性を管理して、受信した画像データが機密性保持要求がなされているかどうかを判断する。そして、機密保持要求がなされていると判断した場合には、印刷済みを確認した時点で、電子ペーパー１０１に表示している画像データの消去指示を電子ペーパー１０１に送信するように制御してもよい。
【００８４】
これにより、機密性の高い画像データに対するユーザの管理負担を軽減できる。また、電子ペーパー１０１特有の表示画像データに対する保持特性に伴い、機密性のある画像データが表示のまま保持される事態を速やかに解除することができる。
【００８５】
〔第５実施形態〕
上記実施形態では、ＨＤ２１０に保存されている画像データは、電子ペーパー１０１から受信した画像データの表示条件を印刷設定に反映させて印刷する場合について説明した。
【００８６】
しかしながら、デジタル複合機１０２が、表示条件に設定された項目を全て印刷設定に反映できない場合もある。例えば用紙設定が、縦送り用紙しか選択できない場合に、表示設定では、横置きである場合が発生し得る。
【００８７】
そこで、印刷設定に反映させる場合に、表示設定をすべて印刷設定に反映させることができるかどうかを判断する。そして、その判断結果を、操作部表示装置２０３に表示して、設定できない項目を、設定可能な項目に変更するかどうかをユーザにその旨を通知する。そして、その通知に対する、ユーザからの印刷設定の変更により、印刷可能となった場合に、印刷を実行させる。
【００８８】
一方、表示設定を印刷設定に反映出来ない場合には、印刷実行そのものを取消して、無駄な印刷を回避できるように制御してもよい。
【００８９】
これにより、ユーザが意図している表示設定を反映できない場合には、無駄な印刷処理を制限して、ユーザの利便性を高めてもよい。
【００９０】
上記実施形態によれば、電子ペーパーに表示されている表示設定をプリント設定の初期値として反映することにより、ユーザは電子ペーパーにて表示している、いいかえると見たままの画像をプリント設定を変更することなく印刷することが可能となる。
【００９１】
また、表示設定を初期値としたプリント設定からの変更操作が可能となり、ユーザは電子ペーパーに表示されている画像表示形式からの設定変更となり、変更時の操作手順を減らすことが可能となる。
【００９２】
また、ユーザモードに印刷設定の優先設定を持たせることにより、ユーザの好みにより文書本来が持つプリント設定、デジタル複合機のプリント設定、電子ペーパー表示設定のいずれかをプリント設定の初期値することが可能となる。
【００９３】
〔第６実施形態〕
以下、図６、図７に示すメモリマップを参照して本発明に係る電子ペーパー、画像処理装置を適用する画像処理システムで読み取り可能なデータ処理プログラムの構成について説明する。
【００９４】
図６は、本発明に係る電子ペーパーで読み取り可能な各種データ処理プログラムを格納する記憶媒体のメモリマップを説明する図である。
【００９５】
図７は、本発明に係る画像処理装置で読み取り可能な各種データ処理プログラムを格納する記憶媒体のメモリマップを説明する図である。
【００９６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９８】
本実施形態における図４，図５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９９】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１００】
この場合、記憶媒体から読み出されたプログラムコード自体が本発明の新規な機能を実現することになり、そのプログラムコードを記憶した記憶媒体は本発明を構成することになる。
【０１０１】
従って、プログラムの機能を有していれば、オブジェクトコード、インタプリタにより実行されるプログラム、ＯＳに供給するスクリプトデータ等、プログラムの形態を問わない。
【０１０２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１０３】
この場合、記憶媒体から読出されたプログラムコード自体が前述した実施形態の機能を実現することになり、そのプログラムコードを記憶した記憶媒体は本発明を構成することになる。
【０１０４】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１０５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０６】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１０７】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０８】
本発明は上記実施形態に限定されるものではなく、本発明の趣旨に基づき種々の変形（各実施形態の有機的な組合せを含む）が可能であり、それらを本発明の範囲から排除するものではない。
【０１０９】
本発明の様々な例と実施形態を示して説明したが、当業者であれば、本発明の趣旨と範囲は、本明細書内の特定の説明に限定されるのではない。
【図面の簡単な説明】
【０１１０】
【図１】本発明の第１実施形態を示す画像処理装置に適用可能なデジタル複合機と電子ペーパーとの構成を示す構成図である。
【図２】図１に示した画像処理装置の構成を説明するブロック図である。
【図３】図１に示した画像処理装置で記憶されるプリント初期値優先順位設定情報の一例を示す図である。
【図４】本発明に係る電子ペーパーにおけるデータ処理手順の一例を示すフローチャートである。
【図５】本発明に係る画像処理装置におけるデータ処理手順の一例を示すフローチャートである。
【図６】本発明に係る電子ペーパーで読み取り可能な各種データ処理プログラムを格納する記憶媒体のメモリマップを説明する図である。
【図７】本発明に係る画像処理装置で読み取り可能な各種データ処理プログラムを格納する記憶媒体のメモリマップを説明する図である。
【符号の説明】
【０１１１】
１０１  電子ペーパー
１０２  デジタル複合機
２０１  スキャナ装置
２０２  プリンタ装置
２０３  操作部表示装置
２０４  符号化複合化装置
２０５  システムメモリ
２０６  ページメモリ
２０７  システム制御部
２０８  外部接続端子
２０９  ネットワークＩ／Ｆ
２１０  ＨＤ（ハードディスク）
２１１  バス
【図１】
2007144674.tif 000003
【図２】
2007144674.tif 000004
【図３】
2007144674.tif 000005
【図４】
2007144674.tif 000006
【図５】
2007144674.tif 000007
【図６】
2007144674.tif 000008
【図７】
2007144674.tif 000009